(57)【要約】      （修正有）【課題】キーボードとポインタ入力装置の機能を同時に素早く手軽に操作することができるとともに、各種のサイズが異なるキーボード内に適用することができる、キーボードのキー領域にタッチコントロールを統合したキーボードを提供する。【解決手段】電気的に接続する薄膜回路モジュールと装置回路モジュールとを内設し、かつ該薄膜回路モジュールがマトリックス回路を具えるとともに、キー領域に設けられたキーボード本体１０と、該薄膜回路モジュールの上方に取り付けられるキーであって、圧力を受けて該薄膜回路モジュールのマトリックス回路に接触して該薄膜回路モジュールにキー信号を発生させて、かつ該装置回路モジュールに伝送させるための複数のキー２０と、プラスチックケース及び該プラスチックケースに内設され該装置回路モジュールに電気的に接続する少なくとも１以上のタッチコントロール３０と、を含んでなる【選択図】図１
0003192647.tif 000002
【実用新案登録請求の範囲】
【請求項１】
電気的に接続する薄膜回路モジュールと装置回路モジュールとを内設し、かつ該薄膜回路モジュールがマトリックス回路を具えるとともに、キー領域に設けられたキーボード本体と、
該薄膜回路モジュールの上方に取り付けられるキーであって、圧力を受けて該薄膜回路モジュールのマトリックス回路に接触して該薄膜回路モジュールにキー信号を発生させて、かつ該装置回路モジュールに伝送させるための複数のキーと、
プラスチックケースと、該プラスチックケースに内設され該装置回路モジュールに電気的に接続する少なくとも１以上のタッチコントロールと、を含んでなることを特徴とするキーボードのキー領域にタッチコントロールを統合したキーボード。
【請求項２】
前記装置回路モジュールが有線或いは無線の接続インタフェイスを備えて、少なくとも以上の情報機器に電気的に接続することを特徴とする、請求項１に記載のキーボードのキー領域にタッチコントロールに統合させたキーボード。
【請求項３】
前記タッチコントロールが、前記キーボード本体の該キー領域内の任意のキーの位置設けられることを特徴とする請求項１記載のキーボードのキー領域にタッチコントロールに統合させたキーボード。
【考案の詳細な説明】
【技術分野】
【０００１】
本考案はキーボードのキー領域にタッチコントロールの統合したキーボードに関する。
【背景技術】
【０００２】
キーボードとその他のポインタ付きの入力装置（例えば、マウス、タッチパネル）は、現在、ユーザーがコンピューター機器とコミュニケーションするための主な入力装置となっている。その内、キーボード裝置は、ユーザーに文字入力を行わせることができ、ポインタ付きの入力装置は、ユーザーに、各種アプリケーション内のカーソル機能（例えば、移動、選択、ドラッグ等の機能）を操作させることができる。
【０００３】
現在、市場では、コンピューター情報通信機器（例えば、ノート型パソコン、タブレットＰＣ、スマートフォン）にＨＤＭＩ（登録商標）接続インタフェイスが設けられることが多くなってきており、ＨＤＭＩ（登録商標）インタフェイスを介して、コンピューター情報通信機器の映像と音声信号を、会議室や居間の大型液晶モニター内に伝送させることができ、それによりコンピューターテレビとして使用することができるようになる。  
【０００４】
現在のユーザーは、大多数が、従来の無線キーボード及び無線マウスをコンピューターテレビの文字入力及びカーソル操作の装置として使用している。しかしながら、前記した使用環境の操作に適合しないという問題がある。最近の市場に出回っている無線キーボードの中には、タッチコントロール或いはトラックボールをキーボードのキー領域外に設けているものがある。しかしながら、この類の装置の設計だと、キーボードの体積が大きくなりすぎ、操作しにくく、収納や携帯しにくいという欠点がある。
【考案の概要】
【考案が解決しようとする課題】
【０００５】
キーボードとポインタ入力装置の機能を同時に素早く手軽に操作することができるとともに、各種のサイズが異なるキーボード内に適用することができ、様々な使用環境に適用させることのできる、キーボードのキー領域にタッチコントロールを統合したキーボードを提供することを課題とする。
【課題を解決するための手段】
【０００６】
上述の目的を達成するために、本考案によるキーボードのキー領域とタッチコントロールの統合方法は、少なくとも一つのタッチコントロールをキーボード本体のキー領域内のいずれかのキー上に取り付け、前記タッチコントロールを前記キーボードに電気的に接続することで、前記キーボードを介して信号を伝送する。
【０００７】
本考案によるキーボードのキー領域をタッチコントロールに統合させたキーボードは、キーボード本体と、複数のキーと、少なくとも一つのタッチコントロールとからなり、前記タッチコントロールは、キーボード本体のキー領域の内部に取り付けられる。
【０００８】
前記キーボード本体内には、薄膜回路モジュールと装置回路モジュールが設けられるとともに、前記薄膜回路モジュールと前記装置回路モジュールは、相互に電気的に接続される。前記キーは、前記キーボード本体のキー領域内に取り付けられ、前記キー領域の下方には薄膜回路モジュールが取り付けられる。それにより、各キーが押されて圧力を受ける際に、前記薄膜回路モジュールに触れて対応するキー信号が生じ、前記信号が装置回路モジュールに伝送される。
【０００９】
前記タッチコントロール装置は、プラスチックケースと、タッチ信号センサー装置とを備えるとともに、前記キーボード本体のキー領域内に取り付けられる。前記タッチ信号センサー装置は、前記薄膜回路モジュール或いは前記装置回路モジュール内に電気的に接続される。
【００１０】
本考案の設計により、ユーザーは、キーボードとポインタ入力装置のそれぞれ独立した機能と複合機能を同時に素早く手軽に操作することができる。
【００１１】
前記装置回路モジュールは、コンピューター機器と連結できる接続インタフェイスを備える。なお、前記接続インタフェイスは、有線或いは無線の接続インタフェイスである。
【図面の簡単な説明】
【００１２】
【図１】本考案の実施例の斜視図である。
【図２】本考案の実施例の平面図である。
【図３】本考案の実施例のモジュールの位置を示した説明図である。
【図４】本考案の実施例のタッチコントロールを示した斜視図である。
【図５】本考案の実施例のタッチコントロールを示した断面図である。
【図６】本考案の実施例のタッチコントロールの取り付け位置を示した説明図である。
【図７】本考案の実施例のタッチコントロールの取り付け位置を示した説明図である。
【図８】本考案の実施例のタッチコントロールの取り付け位置を示した説明図である。
【図９】本考案の実施例のタッチコントロールの取り付け位置を示した説明図である。
【考案を実施するための形態】
【００１３】
全ての図を参照する。図１は、本考案の実施例の斜視図であり、図２は、本考案の実施例の平面図であり、図３は、本考案の実施例のモジュールの位置を示した説明図であり、図４は、本考案の実施例のタッチコントロールを示した斜視図であり、図５は、本考案の実施例のタッチコントロールを示した断面図であり、図６から図９は、本考案の実施例のタッチコントロールの取り付け位置を示した説明図である。図１と図２に示すように、本考案の実施例によるキーボードキー領域内のタッチコントロール統合方法は、キーボード本体１０と、複数のキー２０と、タッチコントロール３０とからなる。少なくとも一つのタッチコントロール３０は、キーボード本体１０のキー領域内のいずれかのキー２０の位置に設けられ、タッチコントロール３０は、キーボード本体１０に電気的に接続され、それにより、キーボード本体１０を通じて信号の伝達を行うことができる。
【００１４】
図３に示すように、キーボード本体１０の内部には、薄膜回路モジュール１１及び装置回路モジュール１２が設けられ、薄膜回路モジュール１１は、装置回路モジュール１２に電気的に接続される。また、薄膜回路モジュール１１は、キーマトリックス回路、或いは、キーボードに頻繁に取り付けられる関連回路を備えるか、プラスチック材質或いはｐｃ板材質からなる。
【００１５】
図１から図３に示すように、キーボード本体１０のキー２０は、キー領域内に設けられるとともに、薄膜回路モジュール１１の上方に取り付けられる。各キー２０が力を受けて下方へ押された際に、薄膜回路モジュール１１のマトリックス回路に触れ、それにより、薄膜回路モジュール１１は対応するキー信号を発生させ、装置回路モジュール１２に伝送する。装置回路モジュール１２は、有線或いは無線の接続インタフェイスを介して、前記キー信号をコンピューター情報通信機器内へ伝送する。
【００１６】
図４と図５に示すように、タッチコントロール３０は、プラスチックケース３１と、タッチ信号センサー領域３２と、タッチ信号センサー装置３３と、接続器３４とからなる。タッチコントロール３０は、キーボード本体１０のキー領域のいずれかのキー２０の位置内に少なくとも１以上設けられるとともに、薄膜回路モジュール１１の上方に配置される。タッチコントロール３０のタッチ信号センサー装置３３は、プラスチックケース３１内に取り付けられるとともに、タッチ信号センサー領域３２におけるユーザーの操作信号をキャプチャーする。なお、タッチ信号センサー装置３３は、接続器３４を介して装置回路モジュール１２内に電気的に接続される。
【００１７】
上述の図と説明した内容をまとめると、本考案は、タッチコントロール３０をキーボード本体１０のキー領域内に統合させることで、キーボード裝置の体積スペースを増やさなくてすむだけでなく、タッチコントロール３０を、キー領域のどの位置にも取り付けることができるため、様々な操作習慣をもつユーザーに合わせることができる。例えば、図２と図７に示すように、タッチコントロール３０を、キー領域の右下角と右側中間の位置に設けることで、右手で操作するユーザーに合わせることができる。また、図６と図８に示すように、タッチコントロール３０を、キーボードキー領域の左下角とスペースキーの左側位置に設けることで、左手で操作するユーザーに合わせることができる。更に、図９に示すように、タッチコントロール３０を、キー領域のスペースキーの中間位置に設けることで、大多数のユーザーの操作に合わせることができる。このように、本考案は、タッチコントロール３０の取り付けの位置を変えることで、様々な使用ニーズに対応させることができる。
【００１８】
従来のキーボードと比較して、本考案は、キーボード機能とタッチコントロールのポインタ装置をキーボードのキー位置内に統合することで、ユーザーが、キーボードとタッチコントロールのポインタ装置のそれぞれの独立した機能と複合した機能を簡単に使用することができるため、キーボードの操作機能を大幅に向上させることができるとともに、形状がもっと小さめの携帯用とする環境に適用させることができる。
【符号の説明】
【００１９】
１０        キーボード本体
１１        薄膜回路モジュール
１２        装置回路モジュール
２０        キー
３０        タッチコントロール
３１        プラスチックケース
３２        タッチ信号センサー領域
３３        タッチ信号センサー装置
３４        接続器
【図１】
0003192647.tif 000003
【図２】
0003192647.tif 000004
【図３】
0003192647.tif 000005
【図４】
0003192647.tif 000006
【図５】
0003192647.tif 000007
【図６】
0003192647.tif 000008
【図７】
0003192647.tif 000009
【図８】
0003192647.tif 000010
【図９】
0003192647.tif 000011
【手続補正書】
【提出日】平成26年6月19日(2014.6.19)
【手続補正１】
【補正対象書類名】実用新案登録請求の範囲
【補正対象項目名】請求項２
【補正方法】変更
【補正の内容】
【請求項２】
前記装置回路モジュールが有線或いは無線の接続インタフェイスを備えて、少なくとも１以上の情報機器に電気的に接続することを特徴とする、請求項１に記載のキーボードのキー領域にタッチコントロールを統合したキーボード。
【手続補正２】
【補正対象書類名】実用新案登録請求の範囲
【補正対象項目名】請求項３
【補正方法】変更
【補正の内容】
【請求項３】
前記タッチコントロールが、前記キーボード本体の該キー領域内の任意のキーの位置に設けられることを特徴とする請求項１記載のキーボードのキー領域にタッチコントロールを統合したキーボード。